(57)【要約】【課題】  簡単な操作によって有効長を延長でき、それによって送電線への乗り出しを容易にする架線梯子を提供する。【解決手段】  架線梯子の先端領域に装着される補助アームであって、前記先端領域に係止される係止部材と、電力線に一端が係合される吊り部材とをそれぞれ両端部に備えた懸架体からなることを特徴とする架線梯子用補助アーム、および当該補助アームを装着した架線梯子。係止部材としては、カラビナ、フック、シャックルなどが使用され、吊り部材としてはカラビナなどを一端に連結したロープを用いるのがよい。懸架体は、アルミニウム製またはアルミニウム合金製の棒状体、板状体、帯状体または管状体などを使用できる。【選択図】  図１
2008182795.tif 000002
【特許請求の範囲】
【請求項１】
架線梯子の先端領域に装着される補助アームであって、前記先端領域に係止される係止
部材と、電力線に一端が係合される吊り部材とをそれぞれ両端部に備えた懸架体からなることを特徴とする架線梯子用補助アーム。
【請求項２】
前記係止部材は、前記先端領域に着脱自在に係止される請求項１に記載の架線梯子用補助アーム。
【請求項３】
前記係止部材は、カラビナ、フック若しくはシャックル、またはこれらの連結体である請求項１または２に記載の架線梯子用補助アーム。
【請求項４】
前記吊り部材は、その先端に係合部材を備えてなる請求項１〜３のいずれか１項に記載の架線梯子用補助アーム。
【請求項５】
前記吊り部材の先端に設けられた係合部材は、電力線に着脱自在に係合される請求項１〜４のいずれか１項に記載の架線梯子用補助アーム。
【請求項６】
前記吊り部材は、カラビナを一端に連結したロープである請求項１〜５のいずれか１項に記載の架線梯子用補助アーム。
【請求項７】
前記懸架体は、アルミニウム製またはアルミニウム合金製の棒状体、板状体、帯状体または管状体である請求項１〜６のいずれか１項に記載の架線梯子用補助アーム。
【請求項８】
請求項１〜７のいずれか１項に記載の架線梯子用補助アームが先端領域に装着されてなることを特徴とする架線梯子。
【請求項９】
前記架線梯子用補助アームは、前記先端領域において回動自在に装着されてなる請求項８に記載の架線梯子。
【発明の詳細な説明】
【技術分野】
【０００１】
本発明は、架空電力線の点検保守作業などに使用される架線梯子に装着してその有効長を延長することができる架線梯子用補助アームおよび該補助アームが装着された架線梯子に関する。
【背景技術】
【０００２】
架空送電線路や一部の架空配電線路などの架空電力線路では、鉄塔の腕金先端に電力線あるいは配電線（以下、これらを総称して「電力線」という。）が碍子装置および引留クランプを介して支持されている。この電力線の保守点検作業や緊線作業などでは、作業者が電力線に宙乗りしなければならない場合がある。このような作業者の電力線への宙乗りの際には、腕金と電力線との往復に架線梯子が使用される。
【０００３】
図４は、架線梯子の鉄塔腕金への取り付け状況を示す斜視図である。この図において、鉄塔を挟んで両側に配置される各１条の電力線４５（図に向かって鉄塔奥側の電力線は図示していない）は、該鉄塔から突設された腕金主材４１および斜材４１１、４１１からなる腕金の先端に固定された碍子装置４３およびクランプ装置４４（図に向かって奥側の碍子装置およびクランプ装置は不図示）を介してそれぞれ支持され、両クランプ装置４４には、それぞれの電力線４５を電気的に接続するジャンパー線４８の両端がそれぞれ連結され、架空電力線路を構成している。
【０００４】
架線梯子１０は、図４に示すように、その基端側が連結金具１０５、１０６、これに螺合する長ボルト１０３、１０４および該長ボルトの一端をそれぞれ枢支可能に固定する軸
支部１０１、１０２を介して腕金主材４１に固定されている。長ボルト１０３、１０４は、架線梯子１０の高さ調整に使用される。また、軸支部１０１、１０２は、架線梯子１０の横桟に沿って摺動可能とされ、これにより架線梯子１０の腕金主材４１に対する取り付け角度が所定の範囲で調整される。架線梯子１０の先端には、フック１１１を先端に備えた連結棒１１が回動可能に取り付けられ、該フック１１１が電力線に係合される。通常、この架線梯子は、軽量化を測るために、アルミ合金などで構成される。
【０００５】
作業者は、架線梯子１０を前記のように鉄塔腕金４１に取付けた後、その上を電力線４５に向かって移動し、さらに電力線４５に身体を乗出してこれに宙乗りし、電力線の保守点検や緊線作業におけるカムアロングの着脱などを行う。
【特許文献１】実開昭６２−６３３９９号公報
【特許文献２】実開昭６２−６３４００号公報
【発明の開示】
【発明が解決しようとする課題】
【０００６】
しかし、基端側を腕金に固定された架線梯子は、この上に作業者が乗っていない状態では、実質的には略水平または電力線に対して平行であるが、各種器材工具を携帯した作業者が乗った場合には、架線梯子に鉛直に下方に向けて荷重がかかるため、電力線が撓み、架線梯子先端のフックが電力線の周面を滑って下降し、架線梯子とつりフックとのなす角は拡大し鈍角となり、架線梯子の先端と電力線との間隔が開き、電力線への宙乗りが困難となる問題があった。
【０００７】
また、作業者が電力線に宙乗りした先に、電力線の機械的振動を減衰させるための電力線振動防止用ダンパー（以下、単に「ダンパー」という。）が取付けられている場合、電力線に宙乗りした状態で当該ダンパーを乗り越えて径間中央に向って進むのは、作業者にとっては非常に体勢が不安定な中での作業となるため、熟練が必要とされる。熟練した作業者がこのダンパーを乗り越えた場合でも、着用している作業服の一部がダンパーに引っかかり、立ち往生する事態も生じていた。
【０００８】
このような状況を改善するのに、より全長の長い架線梯子を用いる方法があるが、元来架線梯子は、通常の作業用梯子と異なり、作業者の体重などを曲げ荷重としてそのまま受けるため、このような荷重に耐える堅牢な構造とする必要があり、その結果架線梯子の重量は非常に大きくなり、作業者が１人で当該架線梯子を腕金に固着することができず、地上に待機する作業者と鉄塔上の作業者とが連携してこれを腕金に固着しなければならなくなる。
【０００９】
本発明の目的は、前記事情に鑑み、作業者が単独で鉄塔腕金に取り付け可能な架線梯子に簡単な操作によって装着でき、それによりその有効長を延長でき、電力線への乗り出しを容易にする架線梯子用補助アーム（以下では、「補助アーム」ということがある。）、および当該補助アームを装着した架線梯子を提供することを目的とする。
【課題を解決するための手段】
【００１０】
すなわち、本発明の一局面によれば、架線梯子の先端領域に装着される補助アームであって、前記先端領域に係止される係止部材と、電力線に一端が係合される吊り部材とをそれぞれ両端部に備えた懸架体からなることを特徴とする架線梯子用補助アームが提供される。
【００１１】
また、本発明の別の局面によれば、前記架線梯子用補助アームが先端領域に装着されてなることを特徴とする架線梯子が提供される。
【発明の効果】
【００１２】
本発明によれば、架線梯子の重量を大きく増加させずに、作業者独りで腕金に取り付け可能な架線梯子に簡単な操作で装着し、その有効長を延長することが可能となり、しかも、作業者の不安定な体勢での電力線への乗出し作業について作業性を改善することができ、当該作業を安定して安全に行なうことができる。また、架線梯子の有効長を延長できることから、電力線への乗り出し位置よりも径間中央側にダンパーなどの障害物がある場合でも、当該障害物を回避することができる。
【発明を実施するための最良の形態】
【００１３】
本発明の補助アームは、前記の通り、懸架体と、その一端部に設けられ、架線梯子の先端領域に係止される係止部材と、前記懸架体の他端部に設けられ、電力線に係合される吊り部材とからなる。なお、本明細書において、懸架体の「端部」を、その端面、端縁および該端縁の近傍（端縁寄り）の領域を含む意味で使用する。また、本明細書において、用語「基端」とは架線梯子や懸架体の鉄塔腕金側をいい、用語「先端」とは、これらの径間中央側をいうものとする。
【００１４】
前記懸架体としては、長尺の棒状体、板状体、帯状体または管状体などが用いられる。棒状体および管状体の長軸方向に直角な断面は、円形、楕円形、半円形などのほか、正方形、長方形、台形などの四角形などの形状を備えることができる。また、この懸架体は、器材を携帯した作業者がこの上を往復するので、これらの重量に耐える強度を備え、たわみの少ないものとされ、さらに軽量であることが好ましい。このような特徴を備える材質としては、アルミニウム製、アルミニウム合金製などが挙げられるが、これらに限られず、硬質の樹脂材料なども使用できる。
【００１５】
この懸架体は、前記の棒状体などを少なくとも２種組み合わせて伸縮自在に形成してもよい。例えば、棒状体を管状体の長軸方向の貫通穴に入れ子状に挿通し、引き出せるようにすることもできる。棒状体を所定の長さ分引き出した場合、公知の止め金具などを用いて棒状体と管状体との位置関係を固定することが好ましい。
【００１６】
また、前記のような1本物または２種以上を組み合わせた懸架体を架線梯子に装着した場合に、少なくとも上面となる面には、作業者がこの上を往復する際に足を滑らせないように、作業者の着用する靴底面との摩擦を増大させる加工を施しておくことが好ましい。このような加工は、表面を粗面にする、ゴム質の塗料やシートなどを表面に塗布または貼付するなど公知の方法を用いて行うことができる。
【００１７】
前記係止部材は、これを介して懸架体を架線梯子の先端領域に係止可能なものであれば特に制限なく使用できるが、前記先端領域に着脱自在に係止可能なものを用いるのが好ましい。このような部材の具体例としては、カラビナ、フック、シャックルなどを挙げることができる。これらには種々の形態のものがあるが、いずれも使用できる。フックを用いる場合、外れ防止の機能を備えたものが好ましい。これらは単独で使用してもよく、２種以上を連結して使用してもよい。また、これらの係止部材の代わりに、ロープやワイヤーロープなどの索状体を用い、これを架線梯子の先端領域に縛り付けるようにしてもよい。本発明では、このような索状体も係止部材に含めるものとする。これら例示の係止部材を用いることで、懸架体、ひいては本発明の補助アーム自体を回動自在に連結できる。
【００１８】
これらの係止部材は、前記懸架体の一端部に公知の方法で連結することができる。例えば、懸架体の一方の端縁寄りの周面に当該懸架体を貫通する貫通穴を穿設しておき、該貫通穴に前記例示の係止部材を直接挿通してもよく、該貫通穴に挿通固定されたアイボルトなどの器具を介して、または該貫通穴に挿通し、締め付け具を用いて形成された環状のワイヤーロープなどを介して係止部材を連結してもよい。
【００１９】
本発明で使用される吊り部材は、電力線に一端が係合される係合部材と、該係合部材と前記懸架体を連結する連結部材とからなる。
【００２０】
係合部材としては、電力線に係合可能なものであれば特に制限されず、例えば、前記例示の係止部材、カラビナ、フック、シャックルなどを好適に使用できる。この係合部材もまた、電力線に対して着脱自在に係合されるものが好ましい。また、係合部材が金属製である場合、その内周面において電力線の周面に当接する部分には、少なくとも軟質材料などを塗布または貼付しておき、電力線が損傷を受けることを防止しておくことが好ましい。係合部材の形状に合わせてその周面の全面に軟質材料を被覆またはコーティングしておいてもよい。このような軟質材料としては、各種の合成樹脂からなるものなどが好適に使用できる。
【００２１】
この係合部材と前記懸架体を連結する連結部材としては、例えばロープやワイヤーロープなどの索状体などを使用できる。これらの索状体には、長さ調整金具などを設け、その長さを適宜調整できるようにしてもよい。
【００２２】
この連結部材と係合部材との連結は、公知の方法を用いて行うことができる。また、この連結部材と懸架体との連結も公知の方法を用いて行うことができる。後者については、前記例示の係合部材と懸架体との連結方法などを好適に用いることができる。
【００２３】
また、別の態様として、懸架体が管状体である場合には、これにロープまたはワイヤーロープなどの索状体を挿通し、当該索状体の一端に前記例示の係止部材を連結し、他端に前記係合部材を連結することもできる。この場合、前記索状体は、懸架体の全長よりも長く設定し、係合部材連結側の前記懸架体よりはみ出した部分を連結部材として用いることができる。
【００２４】
前記構成からなる本発明の補助アームは、架線梯子の先端領域において、両脇に対向して設けられた２本の主枠またはこれらの主枠を所定の間隔で段をなして連結される横桟に装着される。主枠および横桟のうちでは、本発明の補助アームを水平方向のみならず鉛直方向にも回動可能とするために、主枠に装着するのが好ましく、さらには主枠の外側側面に装着するのがより好ましい。
【００２５】
本発明の補助アームは、下線梯子の２本の主枠においてそれぞれの先端領域の外側側面に各1個装着し、または片側のみ装着することができるが、前者の場合、一方の補助アームは、電力線に接近しすぎた場合、この上を作業者が移動することが困難になることがあるので、後者の片側にのみ補助アームを装着するのが好ましい。
【００２６】
本発明の補助アームの架線梯子先端領域への装着は、公知の方法を用いて行うことができる。例えば、係止部材として索状体を用いる場合には、架線梯子の主枠などに直接縛りつけることができ、また係止部材としてカラビナなどの金具を用いる場合には、当該金具を直接主枠に連結し、または当該金具を連結可能な受け金具を主枠に固着しておくことができる。このような受け金具としては、Ｕボルトやアイプレートなどが挙げられ、これらは、公知のボルトやナットなどの取り付け具を用いて主枠に固定しておくことができる。
【００２７】
また、係止部材としてカラビナなどの金具を用いる場合、前記のような受け金具を固着した鞘管を用い、これを予め架線梯子の主枠に装着しておくこともできる。この鞘管を主枠に装着するために、鞘管自体を主枠の長さ方向に沿って少なくとも２つに分割することができ、また鞘管は、その断面が略Ｃ型を呈し、そのまま主枠に嵌合させることもできる。このような鞘管を用いることで、架線梯子の主枠に沿って当該鞘管が摺動可能となり、本発明の補助アームをその架線梯子への装着位置を変えることで、さらに有効長の延長が可能となる。
【００２８】
架線梯子の主枠の先端領域に振れ止め用ロープを挿通する開口が設けられている場合には、当該開口に係止部材を係止して補助アームを架線梯子の先端領域に装着することもできる。
【００２９】
補助アームは、架線梯子の先端領域に係止された係止部材を支点として鉛直方向および水平方向に回動可能とされる。このように、架線梯子に対して補助アームを回動可能に装着することで、角度鉄塔などの場合のように、架線梯子の基端側における当該梯子の角度調整では対応できず、架線梯子先端から電力線までの距離が大きく、電力線への乗り出しが困難であるときでも、補助アームを架線梯子の先端領域に装着し、これを回動させることで、電力線までの距離を小さくし、電力線への乗り出しが容易となる。
【００３０】
また、電力線のクランプ装置に近い位置にダンパーが設けられている場合でも、本発明の補助アームを架線梯子の先端領域に装着することで、当該ダンパー設置位置よりも径間の中央よりにおいて作業者は電力線に乗り出すことが可能となる。
【００３１】
以下、添付図面を参照して本発明の補助アームおよびこれを装着した架線梯子の実施形態についてより詳細に説明するが、本発明はこれらの添付図面に示された実施形態に限定されるものではない。なお、上、下、左、右は図面における上、下、向かって左、向かって右を意味する。
【００３２】
図１は、本発明の補助アームを装着した架線梯子の実施形態の一例を示しており、（ａ）は平面図、（ｂ）は側面図である。この図において、先端側に吊りフック１１を備えたアルミ合金製の架線梯子１０の２本の主枠には、その先端領域にそれぞれＵボルト１２，１３が固着されている。
【００３３】
本発明の補助アーム１は、帯状をなすアルミ合金製の懸架体３と、その基端側の端部に設けられた係止部材としてのカラビナ４と、先端側の端部に設けられた吊り部材５とからなる。カラビナ４は、懸架体の基端側端部に穿設された上下に貫通する貫通穴にナット１６〜１８によって固定されたアイボルト１５によって当該端部に連結されている。吊り部材５は、電力線に係合される係合部材としてのカラビナ３０と、これと懸架体３とを連結するロープ（連結部材）２７とからなる。この吊り部材５もまた、懸架体３の先端側の端部に固定されたアイボルト２２にロープ２７の一端が縛り付けられている。
【００３４】
本発明の補助アーム１は、架線梯子１０の一方の主枠の先端領域側面に取り付けられたＵボルト１３に係止されたカラビナ４を介して架線梯子１０に装着される。このように、補助アーム１をその一部であるカラビナ４を介して架線梯子１０に装着することで、当該補助アーム１を架線梯子１０に自在に着脱でき、カラビナ４を中心として水平方向および鉛直方向に回動させることができる。
【００３５】
図２は、本発明の補助アームを装着した架線梯子の実施形態の別の例を示しており、（ａ）は平面図、（ｂ）は側面図である。この図において、補助アーム１は、懸架体としてのアルミ合金製の角パイプ６にロープ２８を挿通させ、当該ロープ２８の基端側が連結点２９においてカラビナ１４に連結され、その先端側が角パイプ６を抜けて係合部材としてのカラビナ３０に連結されている。その他の構成については、図１に示す実施形態と本質的に変わるところはない。
【００３６】
図３は、図１に示す実施形態の補助アーム１を装着した架線梯子２の使用状態を示す平面図である。この図において、鉄塔４０の腕金主材４１に補助アームを装着した架線梯子２が取り付けられている。架線梯子１０の先端に回動可能に取り付けられている吊りフック１１が、電力線４５に係合され、架線梯子１０の先端側が吊り下げられた状態とされている。
【００３７】
本発明の補助アーム１は、この架線梯子１０において、クランプ装置４４の先端側に接続された電力線４５とは反対側の主枠の先端領域に係止部材４を介して装着されている。この補助アーム1の先端側における吊り部材５が備える係合部材３０が電力線４５に係合されている。このように、架線梯子１０の電力線４５側とは反対側の主枠に補助アーム１を装着することで、作業者は、ほぼ直立した姿勢で碍子装置４３およびクランプ装置４４につかまりながら、電力線４５に近づいていくことができ、また電力線４５への乗り降りが容易になる。
【００３８】
また、図３に示すように、電力線４５において鉄塔４０に近接した位置にダンパー４６が設けられている場合でも、本発明の補助アーム１を用いることで、これを回避して径間中央寄りで電力線４５への乗り降りが可能となる。
【００３９】
以上説明したように、本発明の補助アームを架線梯子の先端領域に装着することで、作業者の不安定な体勢での電力線への乗出し作業について作業性を改善することができ、当該作業を安定して安全に行なうことができる。また、架線梯子の有効長を延長できることから、電力線への乗り出し位置よりも径間中央側にダンパーなどの障害物がある場合でも、当該障害物を回避することができる。
【図面の簡単な説明】
【００４０】
【図１】本発明の架線梯子用補助ブームの実施形態の一例を示す図である。
【図２】本発明の架線梯子用補助ブームの実施形態の別の例を示す図である。
【図３】図１に示す本発明の架線梯子用補助アームの使用状態を示す平面図である。
【図４】従来の架線梯子の取り付け状態を示す斜視図である。
【符号の説明】
【００４１】
１    架線梯子用補助アーム
２    補助アームを装着した架線梯子
３、６    懸架体
４    係止部材
５    吊り部材
１０    架線梯子
１１    連結棒
１１１    フック
１２、１３    Ｕボルト
１４    カラビナ
１５    アイボルト
１６、１７、１８    ナット
２２    アイボルト
２３、２４、２５    ナット
２６    ロープ連結部
２７、２８    ロープ
２９    ロープ連結部
３０    カラビナ
４０    鉄塔
４１    腕金
４２    連結部材
４３    碍子装置
４４    クランプ装置
４５    電力線
４６    電力線振動防止ダンパー
１０１、１０２    軸支部
１０３、１０４    長ボルト
１０５、１０６    連結金具
【図１】
2008182795.tif 000003
【図２】
2008182795.tif 000004
【図３】
2008182795.tif 000005
【図４】
2008182795.tif 000006